(57)【要約】【課題】組み立てにおける作業性の低下を抑制可能な光学装置を提供する。【解決手段】光学装置１は、光デバイス６を収容し、光デバイス６と光学的に接続される光ファイバ７が取り付けられる貫通窓部１１が前端面８ａに設けられたパッケージ３と、パッケージ３が取り付けられる取付面２ａを有する筐体２と、前端面８ａから取付面２ａに沿って突出するように配置された第１の突出し部１２と、パッケージ３に当接してパッケージ３を筐体２に押し付ける押圧力を発生させる傾斜面４ｂとを有するパッケージ固定部４と、を備える。パッケージ固定部４は、パッケージ３と別体である。【選択図】図１
2015191896.tif 000002
【特許請求の範囲】
【請求項１】
デバイスを収容し、第１の側壁と下板を備えるパッケージと、
前記パッケージが取り付けられる取付面を有する筐体と、
前記第１の側壁よりも外側に突き出した前記下板の一辺からなる第１の突出し部と、
前記第１の突出し部に当接して、前記パッケージを前記筐体に押し付ける押圧力を発生させる押圧部を有する第１のパッケージ固定部と、を備え、
前記パッケージ固定部は、前記パッケージと別体である、装置。
【請求項２】
前記押圧部は、前記第１のパッケージ固定部の前記パッケージ側の端部に形成され、
前記第１の突出し部は、前記取付面と前記押圧部とにより挟持されている、請求項１に記載の装置。
【請求項３】
前記パッケージは、前記第１の側壁と対をなす第２の側壁よりも外側に突き出した前記下板の一辺からなる第２の突出し部を有し、
前記第２の突出し部に当接して、前記パッケージを前記筐体に押し付ける押圧力を発生させる押圧部を有する第２のパッケージ固定部と、備える、請求項１又は２に記載の装置。
【請求項４】
前記パッケージは、前記第１の側壁及び前記取付面と直交する第３の側壁よりも外側に突き出した前記下板の一辺からなる第３の突出し部を有し、
前記第３の突出し部に当接して、前記パッケージを前記筐体に押し付ける押圧力を発生させる押圧部を有する第３のパッケージ固定部と、備える、請求項３に記載の装置。
【請求項５】
前記第２のパッケージ固定部および前記第３のパッケージ固定部の少なくとも１つは、前記筐体と別体である、請求項４に記載の装置。
【請求項６】
デバイスを収容し、第１の側壁および前記第１の側壁と対をなす第２の側壁からなるパッケージと、
前記パッケージが取り付けられる取付面を有する筐体と、
前記パッケージに当接して前記パッケージを前記筐体に押し付ける押圧力を発生させる押圧部を有するパッケージ固定部と、を備え、
前記パッケージ固定部は、前記パッケージと別体であり、前記第１の側壁から前記取付面に配置された第１のフランジ部と、前記第２の側壁に配置された第２のフランジ部を更に有し、前記押圧部は、前記第１のフランジ部と前記第２のフランジ部とを連結すると共に、前記取付面と平行な前記パッケージの上面に配置されて、前記パッケージを前記筐体の前記取付面側に押し付ける、装置。
【請求項７】
デバイスが収容され、第１の側壁と下板から構成されたパッケージと、
前記パッケージとは別に構成された第１のパッケージ固定部に当接され、前記第１の側壁よりも外側に突き出した前記下板の一辺からなる第１の突出し部と、
前記第１の側壁と対をなす第２の側壁よりも外側に突き出した貫通孔を有する第２のパッケージ固定部と、を備える、装置。
【発明の詳細な説明】
【技術分野】
【０００１】
本発明は、光デバイスを収容したパッケージが筐体に取り付けられた光学装置に関する。
【背景技術】
【０００２】
特許文献１には、半導体素子を内設した光半導体モジュールが記載されている。この光半導体モジュールは、レーザダイオード素子といった複数の光部品を収容するケース本体を備えている。ケース本体の長手方向の両端には、一対のフランジが設けられている。このフランジには貫通穴が形成され、筐体への光半導体モジュールの固定に利用される。
【先行技術文献】
【特許文献】
【０００３】
【特許文献１】特開平５−３２７０３１号公報
【発明の概要】
【発明が解決しようとする課題】
【０００４】
光デバイスの多くは、フランジを有するパッケージに収容され、フランジに形成された貫通穴を利用して筐体にねじ止めされている。このフランジは、パッケージの側部に設けられる電極リードとの干渉を避けるため、特許文献１に記載されたようにパッケージの長手方向における両端部に配置される場合がある。しかし、パッケージから突出するフランジが存在すると、光デバイスの組み立てにおける作業性を低下させる場合があった。
【０００５】
そこで、本発明は、組み立て作業性の低下を抑制可能な光学装置を提供することを目的とする。
【課題を解決するための手段】
【０００６】
本発明の一側面に係る光学装置は、光デバイスを収容し、光デバイスと光学的に接続される光ファイバが取り付けられる貫通窓が前端面に設けられた箱状のパッケージと、パッケージが取り付けられる取付面を有する筐体と、前端面から取付面に沿って突出するように配置された第１のフランジ部と、パッケージに当接してパッケージを筐体に押し付ける押圧力を発生させる押圧部とを有するパッケージ固定部と、を備え、パッケージ固定部は、パッケージと別体である。
【発明の効果】
【０００７】
本発明によれば、組み立て作業性の低下を抑制可能な光学装置を提供される。
【図面の簡単な説明】
【０００８】
【図１】図１は、本発明の第１実施形態に係る光学装置を示す図である。
【図２】図２は、光学装置を組み立てる主要な工程を示すフロー図である。
【図３】図３は、図２のフロー図に示された各工程の様子を示す側面図である。
【図４】図４は、本発明の第２実施形態に係る光学装置を示す図である。
【図５】図５は、光学装置を組み立てる主要な工程を示すフロー図である。
【図６】図６は、図５のフロー図に示された各工程の様子を示す側面図である。
【図７】図７は、変形例１に係る光学装置を示す図である。
【図８】図８は、変形例２に係る光学装置を示す図である。
【図９】図９は、変形例２に係る光学装置を示す図である。
【図１０】図１０は、変形例３に係る光学装置を示す図である。
【図１１】図１１は、比較例に係る光学装置を組み立てる各工程の様子を示す図である。
【発明を実施するための形態】
【０００９】
［本願発明の実施形態の説明］
最初に本願発明の実施態様を列記して説明する。
【００１０】
本願の光学装置は、デバイスを収容し、第１の側壁と下板を備えるパッケージと、パッケージが取り付けられる取付面を有する筐体と、第１の側壁よりも外側に突き出した下板の一辺からなる第１の突出し部と、第１の突出し部に当接して、パッケージを筐体に押し付ける押圧力を発生させる押圧部を有する第１のパッケージ固定部と、を備え、パッケージ固定部は、パッケージと別体である。
【００１１】
この構成によれば、光デバイスを収容したパッケージが、パッケージ固定部の押圧力により筐体側に押し付けられて筐体に対して固定される。ここで、パッケージ固定部は、パッケージと別体である。換言すると、パッケージは、前端面から取付面に沿って突出するように配置されたパッケージ固定部を有していない。従って、パッケージの組み立て時においてパッケージにはパッケージ固定部がないので、パッケージへ光ファイバを接続するといった組み立て作業性の低下を抑制できる。
【００１２】
押圧部は、第１のパッケージ固定部のパッケージ側の端部に形成され、第１の突出し部は、取付面と押圧部とにより挟持されていてもよい。この構成によれば、パッケージの第１の突出し部が取付面と押圧部とに挟持されているため、第１の突出し部が押圧部により取付面側に押圧されている。従って、パッケージを筐体に対して確実に固定することができる。
【００１３】
パッケージは、第１の側壁と対をなす第２の側壁よりも外側に突き出した下板の一辺からなる第２の突出し部を有し、第２の突出し部に当接して、パッケージを筐体に押し付ける押圧力を発生させる押圧部を有する第２のパッケージ固定部と、備えることとしてもよい。この構成によれば、第２の側壁側においてもパッケージを固定する構成を有しているため、パッケージを筐体に対してより確実に固定することができる。
【００１４】
パッケージは、第１の側壁及び取付面と直交する第３の側壁よりも外側に突き出した下板の一辺からなる第３の突出し部を有し、第３の突出し部に当接して、パッケージを筐体に押し付ける押圧力を発生させる押圧部を有する第３のパッケージ固定部と、備えることとしてもよい。この構成によれば、第３の側壁側においてもパッケージを固定する構成を有しているため、パッケージを筐体に対してより確実に固定することができる。
【００１５】
第２のパッケージ固定部および第３のパッケージ固定部の少なくとも１つは、筐体と別体であってもよい。この構成によれば、パッケージ固定部は、筐体及びパッケージとは別の部品である。従って、筐体、パッケージ及びパッケージ固定部の形状を単純化できるので、光学装置を容易に製造することができる。
【００１６】
パッケージ固定部と筐体とは一体であってもよい。この構成によれば、筐体に対してパッケージを取り付ける際に、パッケージ固定部を筐体に取り付ける必要がない。従って、光学装置の組み立て工程を簡素化できる。
【００１７】
また、本願の装置は、デバイスを収容し、第１の側壁および第１の側壁と対をなす第２の側壁からなるパッケージと、パッケージが取り付けられる取付面を有する筐体と、パッケージに当接してパッケージを筐体に押し付ける押圧力を発生させる押圧部を有するパッケージ固定部と、を備え、パッケージ固定部は、パッケージと別体であり、第１の側壁から取付面に配置された第１のフランジ部と、第２の側壁に配置された第２のフランジ部を更に有し、押圧部は、第１のフランジ部と第２のフランジ部とを連結すると共に、取付面と平行なパッケージの上面に配置されて、パッケージを筐体の取付面側に押し付ける。この構成によれば、パッケージ固定部の押圧部がパッケージの上面を押圧するため、パッケージから取付面に沿って突出する突出し部を形成する必要がない。従って、パッケージの形状を簡素化することができる。
【００１８】
また、本願の装置は、デバイスが収容され、第１の側壁と下板から構成されたパッケージと、パッケージとは別に構成された第１のパッケージ固定部に当接され、第１の側壁よりも外側に突き出した下板の一辺からなる第１の突出し部と、第１の側壁と対をなす第２の側壁よりも外側に突き出した貫通孔を有する第２のパッケージ固定部と、を備える。
【００１９】
［本願発明の実施形態の詳細］
＜第１実施形態＞
本発明に係る光学装置の具体例を、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。また、図面の説明において同一の要素には同一の符号を付し、重複する説明を省略する。
【００２０】
図１の（ａ）部は、本発明の一実施形態に係る光学装置１を示す平面図であり、図１の（ｂ）部は、（ａ）部のＩ−Ｉ線に沿った光学装置１の断面図である。図１に示されるように、光学装置１は、筐体２と、筐体２に取り付けられたパッケージ３と、筐体２にパッケージ３を固定するパッケージ固定部４とを備えている。筐体２は、パッケージ３、図示しないその他の光学部品や電子基板などを収容する金属製の箱である。筐体２は、パッケージ３等を機械的に固定するためのねじ穴が複数設けられたベースを有している。また、筐体２は、パッケージ３を取り付けたときにパッケージ３と当接する取付面２ａを有している。
【００２１】
パッケージ３は、その内部にレーザダイオードといった光デバイス６を収容して保護するものである。また、パッケージ３は、光デバイス６と光ファイバ７との間の位置関係を保持し、光デバイス６と光ファイバ７とを互いに光学的に接続するものである。パッケージ３は、たとえば鉄−ニッケル−コバルト合金からなる金属製の箱状を有する。より詳細には、パッケージ３は、パッケージ本体８を有し、パッケージ本体８には光ファイバ７をパッケージ本体８に取り付けるための接続スリーブ９が溶接されている。パッケージ本体８は、光ファイバ７が取り付けられる前端面（第１の側壁）８ａと、前端面８ａと対をなす後端面（第２の側壁）８ｂとを有している。更にパッケージ本体８は、前端面８ａと後端面８ｂとを連結する一対の側面８ｃと、筐体２の取付面２ａと当接する裏面（下板）８ｄと、裏面８ｄと対をなす上面８ｅとを有している。このパッケージ３は、例えば、前端面８ａから後端面８ｂまでの距離（長さ）が２０ｍｍであり、一対の側面８ｃ間の距離（幅）が１０ｍｍであり、裏面８ｄから上面８ｅまでの距離（高さ）が８ｍｍである。また、一対の側面８ｃには、光デバイス６と電気的に接続される複数のリード１０が設けられている。リード１０は、図示しないフィードスルーを介して、パッケージ本体８に機械的に接続されている。
【００２２】
前端面８ａには、光ファイバ７を取り付けるための貫通窓部１１が形成されている。光ファイバ７は、貫通窓部１１に取り付けられた接続スリーブ９を介して、パッケージ３に対して機械的に固定されている。この接続スリーブ９は、たとえば鉄−クロム−ニッケル合金からなる金属製であり、貫通窓部１１に対してレーザ溶接されている。前端面８ａからは、第１の突出し部１２が取付面２ａに沿って突出している。本実施形態では、第１の突出し部１２は、裏面８ｄの一部であり、前端面８ａからの突出し長さＡ１は、貫通窓部１１の突出し長さＡ２と略同じ又はそれよりも短い。
【００２３】
筐体２の取付面２ａ上には、パッケージ固定部４が取り付けられている。パッケージ固定部４は、板状の部品であり、一対のねじ穴が形成されている。このパッケージ固定部４は、パッケージ３及び筐体２とは別体とされている。パッケージ固定部４は、前端面８ａ側から取付面２ａに沿って突出するように配置された第１のフランジ部（第１のパッケージ固定部）４ａを有している。この第１のフランジ部４ａにおけるパッケージ３の端部には傾斜面（押圧部）４ｂが形成され、傾斜面４ｂが第１の突出し部１２と当接している。ここで、光学装置１の構成部品における寸法公差や固定強度を考慮すると、パッケージ固定部４は、第１の突出し部１２の板厚よりも厚くし、第１の突出し部１２と当接する部分は傾斜面４ｂとすることが好ましい。筐体２の取付面２ａと第１のフランジ部４ａの傾斜面４ｂとの間に第１の突出し部１２が配置されている。そして、ねじ穴に挿入されたねじ１４を締め付けると、傾斜面４ｂと取付面２ａとの間の隙間が小さくなり、第１の突出し部１２が挟持される。
【００２４】
また、後端面８ｂからは、一対の後端フランジ１６が取付面２ａに沿って突出している。本実施形態では、後端フランジ１６は、裏面８ｄの一部である。後端面８ｂからの突出し長さＡ３は、第１の突出し部１２の突出し長さＡ１よりも長い。また、後端フランジ１６のそれぞれには、ねじ１７を挿通するための貫通穴が形成されている。
【００２５】
次に、図２及び図３を参照しつつ、光学装置１の組立工程について説明する。図２は、光学装置１を組み立てる主要な工程を示すフロー図である。図３は、図２のフロー図に示された各工程の様子を示す側面図である。
【００２６】
まず、図３の（ａ）部に示されるように、パッケージ本体８に光ファイバ７が挿入されている接続スリーブ９を取り付ける。貫通窓部１１に接続スリーブ９を当接させた状態で、貫通窓部１１と接続スリーブ９との当接部１１ａにＹＡＧレーザＹを照射する（工程Ｓ１）。このとき、レーザ装置１８の位置は固定し、接続スリーブ９とパッケージ本体８とを回転させつつ、貫通窓部１１と接続スリーブ９との間の円周状の当接部１１ａにＹＡＧレーザＹを照射する。このレーザ照射は、連続的であってもよいし、スポット状に照射してもよい。この工程Ｓ１により、パッケージ３が完成する。
【００２７】
続いて、図３の（ｂ）部に示されるように、パッケージ３を筐体２に取り付ける。まず、パッケージ３を筐体２の取付面２ａに載置した後に位置合わせを行う（工程Ｓ２）。次に、後端フランジ１６のねじ穴にねじ１７を挿入して、後端フランジ１６を筐体２にねじ止めする。続いて、図３の（ｃ）部に示されるように、第１の突出し部１２にパッケージ固定部４の傾斜面４ｂを当接させるようにして、パッケージ固定部４を配置する。そして、パッケージ固定部４の貫通穴にねじ１４を挿入して、パッケージ固定部４を筐体２にねじ止めする（工程Ｓ３）。以上の工程Ｓ１〜Ｓ３を経て、光学装置１が完成する。
【００２８】
ここで、比較例に係る光学装置の組立工程について説明する。図１１は、比較例に係る光学装置１００を組み立てる各工程の様子を示す図である。図１１の（ａ）部に示されるように、比較例に係る光学装置１００も、パッケージ１０１に対して光ファイバ１０２を保持した接続スリーブ１０３を溶接して固定する。このパッケージ１０１は、接続スリーブ１０３が取り付けられる前端面１０４に設けられた２個のフランジ１０６を有している。このフランジ１０６は、リード１０８とのオーバーラップを避けるように配置されるため、外部光学系の組み立て時に、ＹＡＧ溶接の障害となる虞がある。例えば、図１１の（ｂ）部に示されるように、ＹＡＧレーザＹを照射する位置を変更するためにパッケージ１０１を回転させると、ＹＡＧレーザＹの光路上にフランジ１０６が位置することがある。従って、比較例に係る光学装置１００では、接続スリーブ１０３と貫通窓部１０７とが当接する円周状の当接部において、レーザ溶接が実施可能な領域Ｐ１と、レーザ溶接が実施できない領域Ｐ２とが存在することになる。
【００２９】
一方、光学装置１によれば、光デバイス６を収容したパッケージ３が、パッケージ固定部４の押圧力により筐体２側に押し付けられて筐体２に対して固定される。ここで、第１のフランジ部４ａを有するパッケージ固定部４は、パッケージ３と別体である。換言すると、パッケージ３は、前端面８ａから取付面２ａに沿って突出するように配置された第１のフランジ部４ａを有していない。従って、第１のフランジ部４ａを有するパッケージ固定部４を後付け部品とすることにより、パッケージ３の組み立て時においてパッケージ３には第１のフランジ部４ａがないので、パッケージ３へ光ファイバ７を接続するといった組み立ての作業性の低下を抑制できる。
【００３０】
例えば、図３の（ａ）部に示されるように、光学装置１では、ＹＡＧレーザＹに干渉する場合があるパッケージ固定部４がパッケージ３から分離可能に構成されているため、レーザ溶接時においてレーザ装置１８と当接部１１ａとの間には、ＹＡＧレーザＹを遮る部材が存在しない。そして、接続スリーブ９とパッケージ本体８とを回転させたとしても、レーザ装置１８と当接部１１ａとの間においてＹＡＧレーザＹが遮られることがない。従って、溶接性の自由度が向上し、レーザ溶接作業を容易に実施することが可能になる。更に、所望の箇所についてレーザ溶接を実施することが可能であるため、接続スリーブ９と貫通窓部１１とが当接する円周状の当接部１１ａにおいて、均等な間隔を持って溶接することが可能になる。従って、溶接に起因して接続スリーブ９とパッケージ３との間に生じ得る内部応力により、パッケージ３への接続スリーブ９の固定姿勢が傾くことを抑制できる。また、均等な間隔を持って溶接することが可能になることで、溶接強度を均等に保つことができる。また、これにより、ユーザによる種々のフランジ位置の要求に柔軟に対応させることができる。
【００３１】
また、パッケージ３は、第１の突出し部１２を有し、傾斜面４ｂは、パッケージ固定部４のパッケージ３側の端部に形成されている。第１の突出し部１２は、取付面２ａと傾斜面４ｂとにより挟持されている。この構成によれば、パッケージ３の第１の突出し部１２が取付面２ａと傾斜面４ｂとに挟持されているため、第１の突出し部１２が傾斜面４ｂにより取付面２ａ側に押圧されている。従って、パッケージ３を筐体２に対して確実に固定することができる。
【００３２】
パッケージ固定部４は、筐体２と別体である。この構成によれば、パッケージ固定部４は、筐体２及びパッケージ３とは別の部品である。従って、筐体２、パッケージ３及びパッケージ固定部４の形状を単純化できるので、光学装置１を容易に製造することができる。
【００３３】
＜第２実施形態＞
第２実施形態に係る光学装置１Ａについて説明する。図４の（ａ）部は本発明の第２実施形態に係る光学装置１Ａを示す平面図であり、図４の（ｂ）部は光学装置１Ａの側面図である。光学装置１Ａは、パッケージ３を覆うように配置されたパッケージ固定部１９を有する点で、第１実施形態に係る光学装置１と相違する。以下、パッケージ固定部１９について詳細に説明する。
【００３４】
パッケージ固定部１９は、前端面８ａから上面８ｅを経て後端面８ｂに亘ってパッケージ３を覆っている。より詳細には、パッケージ固定部１９は、前端面８ａ側から取付面２ａに沿って突出するように配置された第１のフランジ部２１と、後端面８ｂ側から取付面２ａに沿って突出するように配置された第２のフランジ部２２と、第１のフランジ部２１と第２のフランジ部２２とを連結する押圧部２３とを有している。第１のフランジ部２１及び第２のフランジ部２２は、一対の側面（第３の側壁）８ｃが対向する方向に離間して２個配置されている。そして、第１のフランジ部２１及び第２のフランジ部２２のそれぞれには、平面視してＵ字状のねじ配置部Ｂが形成されている。
【００３５】
図４の（ｂ）部に示されるように、押圧部２３は、側面視して断面コ字状を有し、前面部２３ａと、後面部２３ｂと、上面部２３ｃとを有している。前面部２３ａは、第１のフランジ部２１におけるパッケージ３側の端部から上面８ｅ側に亘って延在している。後面部２３ｂは、第２のフランジ部２２におけるパッケージ３側の端部から上面８ｅ側に亘って延在している。上面部２３ｃは、前面部２３ａと後面部２３ｂとを連結するように上面８ｅ上において延在している。
【００３６】
ここで、上面部２３ｃには、溝Ｃ（図４の（ａ）部参照）が形成され、この溝Ｃにより、上面部２３ｃの一部が片持ち梁状のバネ部Ｓになっている。このバネ部Ｓは、パッケージ３側に僅かに折り曲げられている。より詳細には、パッケージ固定部１９が筐体２に取り付けられていない状態において、バネ部Ｓと、第１のフランジ部２１及び第２のフランジ部２２との間の高さ方向に沿った距離は、パッケージ３の高さよりも僅かに小さい。このようなバネ部Ｓによれば、パッケージ固定部１９を筐体２に取り付けたときに、バネ部Ｓがパッケージ３の上面８ｅに押圧されて変形するため、パッケージ３を筐体２側に押し付ける力Ｆがバネ部Ｓに生じる。従って、パッケージ３を確実に筐体２に固定することができる。
【００３７】
次に、図５及び図６参照しつつ、光学装置１Ａの組立工程について説明する。図５は、光学装置１Ａを組み立てる主要な工程を示すフロー図である。図６は、図５のフロー図に示された各工程の様子を示す側面図である。
【００３８】
まず、図６の（ａ）部に示されるように、パッケージ本体８に光ファイバ７が挿入されている接続スリーブ９を取り付ける。貫通窓部１１に接続スリーブ９を当接させた状態で、貫通窓部１１と接続スリーブ９との当接部１１ａにＹＡＧレーザＹを照射する（工程Ｓ４）。このとき、レーザ装置１８の位置は固定し、接続スリーブ９とパッケージ本体８とを回転させつつ、貫通窓部１１と接続スリーブ９との間の円周状の接触部にレーザを照射する。このレーザ照射は、連続的であってもよいし、スポット状に照射してもよい。この工程Ｓ１により、パッケージ３が完成する。
【００３９】
続いて、図６の（ｂ）部に示されるように、パッケージ３を筐体２に取り付ける。まず、パッケージ３を筐体２の取付面２ａに載置した後に位置合わせを行う（工程Ｓ５）。続いて、図６の（ｃ）部に示されるように、パッケージ３を覆うようにパッケージ固定部１９を取り付ける（工程Ｓ６）。続いて、図６の（ｄ）部に示されるように、第１のフランジ部２１をねじ１４により筐体２に固定すると共に、第２のフランジ部２２をねじ１７により筐体２に固定する（工程Ｓ７）。このとき、ねじ１４，１７を締め付けると、上面部２３ｃとパッケージ３の上面８ｅとの間の隙間が小さくなり、板ばねＳが変形させられる。そしてこの板ばねＳの変形により、パッケージ３を筐体２の取付面２ａ側に押し付ける力Ｆが発生して、パッケージ３が筐体２に固定される。以上の工程Ｓ４〜Ｓ７を経て、光学装置１Ａが完成する。
【００４０】
本実施形態に係る光学装置１Ａによれば、第１実施形態に係る光学装置１と同様に、組み立て作業性を低下させるフランジがパッケージ３に設けられていない。これにより、ユーザによる種々のフランジ位置の要求に柔軟に対応させることができる。従って、第１実施形態に係る光学装置１と同様の効果を得ることができる。
【００４１】
また、光学装置１Ａによれば、パッケージ固定部１９の押圧部２３がパッケージ３の上面８ｅを押圧するため、パッケージ３から取付面２ａに沿って突出する突出し部を形成する必要がない。従って、パッケージ３の形状を簡素化することができる。
【００４２】
本発明は、前述した実施形態に限定されず、本発明の要旨を逸脱しない範囲で種々の変形が可能である。
【００４３】
＜変形例１＞
図７の（ａ）部は変形例１に係る光学装置１Ｂを示す図であり、図７の（ｂ）部は光学装置１Ｂの側面図である。図７の（ａ）部及び（ｂ）部に示されるように、光学装置１Ｂは、パッケージ３Ｂが、第１の突出し部１２に加えて第２の突出し部２４と第３の突出し部２６とを有し、パッケージ固定部４Ｂが、第１のフランジ部４ａ及び傾斜面４ｂに加えてねじ２７により筐体２に固定される第２のフランジ部（第２のパッケージ固定部）４ｃと、ねじ２８により筐体２に固定される第３のフランジ部（第３のパッケージ固定部）４ｄとを有していてもよい。第２の突出し部２４は、パッケージ３の後端面８ｂ側から取付面２ａに沿って突出している。第３の突出し部２６は、パッケージ３の側面８ｃ側から取付面２ａに沿って突出している。第２の突出し部２４及び第３の突出し部２６は、第１の突出し部１２と同等の突出し長さを有している。
【００４４】
そして、第２の突出し部２４上には第２のフランジ部４ｃが配置され、第２の突出し部２４は第２のフランジ部４ｃの傾斜面Ｎと取付面２ａとにより挟まれて保持されている。第２のフランジ部４ｃは、一対の側面８ｃ間の距離Ａ４よりも短い長さＡ５を有し、第２の突出し部２４の一部分を覆っている。また、第３の突出し部２６上には第３のフランジ部４ｄが配置され、第３の突出し部２６は第３のフランジ部４ｄの傾斜面（不図示）と取付面２ａとにより挟まれて保持されている。第３のフランジ部４ｄの長手方向の長さＡ６は、前端面８ａから後端面８ｂまでの長さＡ７よりも大きく、第３の突出し部２６の全体を覆っている。
【００４５】
このように、複数の突出し部を形成することにより、フランジ配置の選択性を向上させることができる。すなわち、ユーザによる種々のフランジ位置の要求に柔軟に対応させることができる。また、第１のフランジ部４ａ及び第２のフランジ部４ｃのように、第１の突出し部１２及び第２の突出し部２４を部分的に覆うよう配置によれば、フランジを配置する位置の自由度が向上するため、パッケージ３から突出する部分を避けるようにして第１のフランジ部４ａ及び第２のフランジ部４ｃを配置することが可能になる。従って、パッケージ３を筐体２に取り付けるときの作業性を向上させることができる。また、第３のフランジ部４ｄのように、第３の突出し部２６の全体を覆う配置によれば、第３のフランジ部４ｄにより第３の突出し部２６を確実に保持することができる。
【００４６】
＜変形例２＞
図８及び図９は、変形例２に係る光学装置を示す図である。図８に示されるように、光学装置１Ｃは、筐体２と一体化された第１のフランジ部２９を備えていてもよい。第１のフランジ部２９は、前端面８ａに形成された第１の突出し部１２を保持するものであり、筐体２の一部分をなすと共にフック状の形状を有している。パッケージ３を取り付けるときには、パッケージ３の第１の突出し部１２を第１のフランジ部２９に引っかけるように配置し、その後、後端フランジ１６を筐体２に対してねじ止めする。また、図９に示されるように、光学装置１Ｄは、筐体２と一体化された第２のフランジ部３１を備えていてもよい。第２のフランジ部３１は、後端面８ｂに形成された第２の突出し部２４を保持するものであり、筐体２の一部分をなすと共にフック状の形状を有している。この場合には、パッケージ３の第２の突出し部２４を第２のフランジ部３１に引っかけるように配置し、その後、第１のフランジ部４ａを筐体２に対してねじ止めする。このような構成によれば、フランジの配置が困難である箇所であっても、パッケージ３を筐体２に固定することができる。これにより、ユーザによる種々のフランジ位置の要求に柔軟に対応させることができる。
【００４７】
＜変形例３＞
また、図１０は、変形例３に係る光学装置１Ｅ，１Ｆを示す図である。図１０に示されるように、パッケージ固定部３２に設けられたフランジ部３３，３４，３７，３８は、配置される位置や数をパッケージ３の形状等に応じて所望の位置に配置してもよい。例えば、図１０の（ａ）部に示されるように、光学装置１Ｅのパッケージ固定部３２は、パッケージ３の前端面８ａ側から取付面２ａに沿って突出するように設けられた一対のフランジ部３３と、パッケージ３の側面８ｃ側から取付面２ａに沿って突出するように設けられた一対のフランジ部３４とを有している。また、図１０の（ｂ）部に示されるように、光学装置１Ｆのパッケージ固定部３６は、パッケージ３の前端面８ａ側から取付面２ａに沿って突出するように設けられた１個のフランジ部３７と、パッケージ３の側面８ｃ側から取付面２ａに沿って突出するように設けられた１個のフランジ部３８とを有している。また、パッケージ固定部３６の押圧部３６ａに形成されるバネ部Ｓの数は、パッケージ３の重量や形状又はホールド性（固定強度）等に応じて所望の数にすることができる。例えば、バネ部Ｓは、２個以上形成されていてもよいし、１個であってもよい。これにより、ユーザによる種々のフランジ位置の要求に柔軟に対応させることができる。
【符号の説明】
【００４８】
１，１Ａ，１Ｂ，１Ｃ，１Ｄ，１Ｅ，１Ｆ，１００…光学装置、２…筐体、２ａ…取付面、３，３Ｂ，１０１…パッケージ、４，４Ｂ，３２，３６…パッケージ固定部、４ａ，２１，２９…第１のフランジ部（第１のパッケージ固定部）、４ｂ，Ｎ…傾斜面、４ｃ，２２，３１…第２のフランジ部（第２のパッケージ固定部）、４ｄ…第３のフランジ部（第３のパッケージ固定部）、６…光デバイス、７，１０２…光ファイバ、８…パッケージ本体、８ａ，１０４…前端面（第１の側壁）、８ｂ…後端面（第２の側壁）、８ｃ…側面（第３の側壁）、８ｄ…裏面（下板）、８ｅ…上面、９，１０３…接続スリーブ、１０，１０８…リード、１１，１０７…貫通窓部、１１ａ…当接部、１２…第１の突出し部、１６…後端フランジ、１８…レーザ装置、１９…パッケージ固定部、２３，３６ａ…押圧部、２３ａ…前面部、２３ｂ…後面部、２３ｃ…上面部、２４…第２の突出し部、２６…第３の突出し部、３３，３４，３７，３８…フランジ部、１０６…フランジ、Ａ１，Ａ２，Ａ３…突出し長さ、Ａ４…距離、Ａ５，Ａ６…長さ、Ｂ…ねじ配置部、Ｃ…溝、Ｆ…力、Ｐ１…レーザ溶接が実施可能な領域、Ｐ２…レーザ溶接が実施できない領域、Ｓ…バネ部、Ｙ…ＹＡＧレーザ。
【図１】
2015191896.tif 000003
【図２】
2015191896.tif 000004
【図３】
2015191896.tif 000005
【図４】
2015191896.tif 000006
【図５】
2015191896.tif 000007
【図６】
2015191896.tif 000008
【図７】
2015191896.tif 000009
【図８】
2015191896.tif 000010
【図９】
2015191896.tif 000011
【図１０】
2015191896.tif 000012
【図１１】
2015191896.tif 000013